(57)【要約】      （修正有）【課題】本発明の課題は、脚部を設けずとも安定して直立に自立させることの出来、成形が容易で、しかも意匠性にも優れたスライド式ブリスターパックを提供するにある。【解決手段】前記課題を解決するために本発明は、ブリスターカバーに脚部を設けず、収納する物品の奥行きが、物品収納部の奥行きよりも浅くし、蓋部材を湾曲もしくは角度を持たせた状態でスライド式に嵌挿することによって物品収納部を閉塞することを特徴とする。【効果】コストが下がる上、樹脂厚が不均一になる部分が減少するため生産不良率も減少する。更には、店頭において包装された物品を立てて陳列しても転倒することもなく、脚部を設けていないため、外観上美麗であり、蓋部材に角度があるため、蓋部材表面に施されたデザイン等に変化が増し、意匠性にも優れる。【選択図】図２
2004182324.tif 000002
【特許請求の範囲】
【請求項１】
物品収納部の奥行きが物品の奥行きよりも短いことを特徴とするスライド式ブリスターパック。
【請求項２】
物品収納部の奥行きが物品の奥行きの８分の１以上１０分の９以下であることを特徴とする請求項１記載のスライド式ブリスターパック。
【請求項３】
蓋部材が湾曲もしくは角度を持たせた状態で、ブリスターカバーにスライドして嵌挿することを特徴とする請求項１又は請求項２記載のスライド式ブリスターパック。
【発明の詳細な説明】
【０００１】
【発明の属する技術分野】
本発明は、スライド式ブリスターパックに関し、特に脚部を設けないでも自立することができるスライド式ブリスターパックに関する。
【０００２】
【従来の技術】
ブリスターパックは、比較的小型の物品を収納する容器として、近年多用されるようになった。物品を収納した透明なブリスターパックの使用形態としては、例えば店頭の陳列棚に販売用に立てた状態で陳列したり、フックに吊るしたりして、顧客がブリスターパックを手にとって中身の商品を確認し易くしている。
【０００３】
従来の自立型ブリスターパックの形状としては、図１に示すように物品を完全に収納するために前方を窪ませた物品収納部Ａと、物品収納部Ａの下方にブリスターパックを自立させるために設けられた脚部Ｂと、この物品収納部Ａの周囲から外周に張り出すフランジ部Ｃと、このフランジ部Ｃの両縁にそれぞれ連設され、収納部Ａの裏面側に折り曲げられることによって溝部Ｄを形成する折曲片Ｅとを備えた合成樹脂シート成形体からなるブリスターカバーＦと、このブリスターカバーＦの溝部に嵌挿することで、物品収納部Ａを閉塞するスライド式の厚紙等からなる蓋部材Ｇとから構成されたものがあり、この種のブリスターパックは、ブリスターカバーＦの物品収納部Ａに物品を収納した後、平板上の蓋部材Ｇをそのままの状態でスライド式に嵌挿することによって物品収納部Ａを閉塞し、フランジ部Ｃと蓋部材Ｇとをステイプル等によって固着した状態で、フランジ部Ｃと蓋部材Ｇに予め形成された穴Ｈ、Ｉや切欠部を陳列棚等に設置された吊下げアーム等に掛けたり、脚部Ｂを支えにして包装された物品を陳列棚等水平な場所に自立させて陳列することが出来るようにしている。
【０００４】
【発明が解決しようとする課題】
従来のブリスターパックにおいては、包装した物品を立てた状態で陳列させる場合、ブリスターパックに脚部を設ける必要がある。しかしながら、脚部を設けた場合、金型が複雑になるためコストが高くなる上、樹脂成型時においては、脚部の樹脂厚が不均一になる為、強度が下がり割れやすくなる等、不良率を高める原因ともなっていた。また、細長い形状の物品を収納するためには、従来に比べ過大な脚部を設けねばならず、外観を著しく損ねていた。一方、脚部を設けない場合には、包装された物品を立てて陳列できないという問題点があった。
【０００５】
本発明の課題は、脚部を設けずとも安定して直立に自立させることが出来、成型がし易く、意匠性にも優れたスライド式ブリスターパックを提供するにある。
【０００６】
【発明を解決するための手段】
前記課題を解決するために本発明は、ブリスターカバーに脚部を設けず、蓋部材に角度を持たせた状態でスライド式に嵌挿することによって物品収納部Ａを閉塞することを特徴とする。
【０００７】
本発明におけるブリスターカバーの形状は、収納する物品の奥行きより物品収納部の奥行きの方が浅く、脚部を設けないこと以外は何ら限定されない。従来のあらゆる形状のブリスターカバーが利用できる。
【０００８】
本発明のにおける蓋部材の形状は、特に限定されない。蓋部材は嵌挿前の状態から湾曲或いは角度のあるものを用いることも出来るが、嵌挿前の状態は平面上であっても構わない。嵌挿後の状態が、平板上でなければよい。蓋部材の角度は収納される物品の大きさ、形状によって適宜調節される。
【０００９】
蓋部材に角度を持たせることによって蓋部材の表面デザインに変化、立体感が得られる。例えば、蓋部材として金属感を有する素材もしく金属感を表面処理した素材を使用した場合、平板上に嵌挿した場合に比べて、反射力も増し、店頭において包装した物品を陳列した場合に存在感が増す。
【００１０】
【発明の実施の形態】
以下、実施の形態について図面を参照して説明する。但し、本発明が、以下の実施の形態に限定されないことは言うまでもない。
【００１１】基本的形状
本発明のスライド式ブリスターパックは、図２に示すように、物品の一部を固定収納するために前方を窪ませた物品収納部ａと、この物品収納部ａの周囲から外周に張り出すフランジ部ｃと、このフランジ部ｃの両縁にそれぞれ連設され、収納部ａの裏面側に折り曲げられることによって溝部ｄを形成する折曲片ｅとを備えた合成樹脂シート成形体からなるブリスターカバーｆと、このブリスターカバｆの溝部ｄに嵌挿することで、物品収納部ａを閉塞するスライド式の厚紙等からなる蓋部材ｇとから構成される。必要に応じて、フランジ部ｃと蓋部材ｇに吊下げ用の穴ｉ等をつけてもよい。
【００１２】
図３は、平板上の蓋部材ｇを湾曲させてブリスターカバーｆに嵌挿した場合の使用状態図４のＩＡ−ＩＡの断面図である。図３に示すように、前記構成における物品収納部ａの奥行きβは、物品の形状にもよるが、物品の一部が固定収納出来ればいいのであるが、物品Ｘの奥行きαの８分の１以上１０分の９以下が収納されることが好ましい。８分の１未満であれば、物品を固定収納することが難しなり、１０分の９を超えると、嵌挿後の蓋部材を湾曲もしくは角度をもたせることが出来なくなる。
【００１３】（平板上の蓋部材を湾曲させた場合）
図４のように、収納する物品の形状に合わせて大きさを調整した平板上の蓋部材ｇを、嵌挿する際に湾曲させ、溝部ｄに嵌挿する。このとき、蓋部材ｇと物品とに接地部分が存在するようにする。
【００１４】（平板上の蓋部材をくの字型にさせた場合）
図５のように、収納する物品の形状に合わせて大きさを調整した平板上の蓋部材ｇの中央線ｊを折り曲げた状態で、溝部ｄに嵌挿する。このとき、蓋部材ｇと物品とに接地部分が存在するようにする。使用状態を示す図５のＩＢ−ＩＢ断面図を図６に示す。
【００１５】（平板上の蓋部材を変形くの字型にさせた場合）
図７のように、収納部ａをブリスターカバーの中央部でない部分に設けた場合は、
収納する物品の形状に合わせて大きさを調整した平板上の蓋部材ｇの中央線ｊより収納部ａの存在地寄りの部分を折り曲げた状態で、溝部ｄに嵌挿する。このとき、蓋部材ｇと物品とに接地部分が存在するようにする。使用状態を示す図７のＩＣ−ＩＣ断面図を図８に示す。
【００１６】
【発明の効果】
上記述べたように、脚部を設けないことで、金型がシンプルになる為、コストが下がる上、樹脂厚が不均一になる部分が減少するため生産不良率も減少する。更に外観上美しく、物品のみを目立たすことが出来る為、より直接的に物品を見せることが可能になり意匠性に優れる。店頭において包装された物品を立てて陳列しても転倒することもない。
【００１７】
【図面の簡単な説明】
【図１】従来の脚部付きスライド式ブリスターパックをブリスターカバーＦと蓋部材Ｇとを離した状態の斜視図
【図２】本発明におけるスライド式ブリスターパックをブリスターカバーｆと蓋部材ｇとを離した状態の示す斜視図
【図３】本発明におけるスライド式ブリスターパックのブリスターカバーｆに平板上の蓋部材ｇを湾曲させた状態で、物品を収納する作動状態を示す図４のＩＡ−ＩＡ断面図
【図４】本発明におけるスライド式ブリスターパックのブリスターカバーｆに平板上の蓋部材ｇを湾曲させ、物品を収納する作動状態を示す正面図
【図５】本発明におけるスライド式ブリスターパックのブリスターカバーｆに平板上の蓋部材ｇを折り曲げた状態で、物品を収納する作動状態を示す正面図
【図６】図５のＩＢ−ＩＢ断面図
【図７】本発明におけるスライド式ブリスターパックのブリスターカバーｆに平板上の蓋部材ｇを折り曲げた状態で、物品を中央部以外に収納する作動状態を示す正面図
【図８】図７のＩＣ−ＩＣ断面図
【符号の説明】
Ａ：収納部、Ｂ：脚部、Ｃ：フランジ部、Ｄ：溝部、Ｅ：折曲片、Ｆ：ブリスターカバー、Ｇ：蓋部材、Ｈ：穴、Ｉ：穴、Ｘ：物品
ａ：収納部、ｃ：フランジ部、ｄ：溝部、ｅ：折曲片、ｆ：ブリスターカバー、ｇ：蓋部材、ｉ：穴、ｊ：中央線
α：物品Ｘの奥行き、β：物品収納部の奥行き
【図１】
2004182324.tif 000003
【図２】
2004182324.tif 000004
【図３】
2004182324.tif 000005
【図４】
2004182324.tif 000006
【図５】
2004182324.tif 000007
【図６】
2004182324.tif 000008
【図７】
2004182324.tif 000009
【図８】
2004182324.tif 000010